(57)【要約】【課題】長期間に亘って遊技球が返し部材に衝突し続けた場合でも、返し部材と対向する障害釘の損傷を効果的に防止することができるパチンコ機を提供する。【解決手段】パチンコ機は、発射装置によって打ち込まれた遊技球を遊技領域の上方へ導くためのガイドレール８が遊技盤４に設置されており、そのガイドレール８の先端縁際には、打ち込まれた遊技球をはね返すための返し部材１１が設置されている。当該返し部材１１は、略半円柱状の固定部１５から板状の衝撃吸収部１６を上方に突出させた形状を有しており、固定部１５には係止孔１２が貫設されている。また、遊技盤４の返し部材１１の設置位置には、断面十字状の柱状タブ２２が突設されている。そして、返し部材１１は、係止孔１２に柱状タブ２２を挿通させた状態で遊技盤４に設置されている。【選択図】図３
2009131500.tif 000002
【特許請求の範囲】
【請求項１】
発射装置によって打ち込まれた遊技球を遊技領域の上方へ導くためのガイドレールが遊技盤に設置されているとともに、打ち込まれた遊技球をはね返すための返し部材が、前記ガイドレールの先端縁際に設置されたパチンコ機であって、
前記返し部材が、表面から裏面へ貫通した係止孔を設けた固定部から板状の衝撃吸収部を突出させたものであり、前記固定部の係止孔に、前記遊技盤に対して直交するように設けられた柱状ボスを挿通させた状態で設置されていることを特徴とするパチンコ機。
【請求項２】
前記返し部材が、弾性部材によって一体的に形成されていることを特徴とする請求項１に記載のパチンコ機。
【請求項３】
前記柱状ボスが断面十字状に形成されているとともに、前記返し部材の前記係止孔が大径部と小径部とを有していることを特徴とする請求項１、または請求項２に記載のパチンコ機。
【発明の詳細な説明】
【技術分野】
【０００１】
本発明は、パチンコ機に関するものである。
【背景技術】
【０００２】
通常のパチンコ機は、発射装置によって打ち込まれた遊技球を遊技領域の上方へ導くためのガイドレールが遊技盤に設置されているとともに、そのガイドレールの先端縁際に、強く打ち込まれた遊技球をはね返すための返し部材（返しゴム）が設置されている。また、パチンコ機の中には、所定のタイミングで遊技球を遊技領域の右サイドに強く打ち込むことによって特典が得られるように構成された所謂“右打ち”タイプのパチンコ機がある。かかる右打ちタイプのパチンコ機は、返しゴムに対向する位置に複数の障害釘が並べて設置されており、それらの障害釘によって、返しゴムで跳ね返された遊技球を下方へ落下させることにより、遊技球が遊技領域の左サイドを流下しないように構成されている。
【０００３】
ところが、そのような返しゴムと対向する位置に障害釘を並べて設置した右打ちタイプのパチンコ機においては、長期間に亘って使用すると、返しゴムによって跳ね返された遊技球を受ける障害釘が損傷してしまうことがあった。それゆえ、右打ちタイプのパチンコ機の中には、特許文献１の如く、返しゴムによって跳ね返された遊技球を所定の方向へ誘導するための誘導部材を設置したものもある。
【０００４】
【特許文献１】特開平８−３２２９８８号公報
【発明の開示】
【発明が解決しようとする課題】
【０００５】
しかしながら、上記の如く誘導部材を設置したパチンコ機は、誘導部材を設置するために盤面上に大きなスペースが必要とされる上、誘導部材に衝突した後の遊技球の流下方向が一定のものとなり易いため、遊技内容が限定されてしまう、という不具合がある。
【０００６】
本発明の目的は、上記従来のパチンコ機が有する問題点を解消し、長期間に亘って遊技球が返し部材に衝突し続けた場合でも、返し部材と対向する障害釘の損傷を効果的に防止することができる上、返し部材に衝突した後の遊技球の落下方向を制限せず、遊技内容をバラエティに富んだものとすることが可能なパチンコ機を提供することにある。
【課題を解決するための手段】
【０００７】
本発明の内、請求項１に記載された発明は、発射装置によって打ち込まれた遊技球を遊技領域の上方へ導くためのガイドレールが遊技盤に設置されているとともに、打ち込まれた遊技球をはね返すための返し部材が、前記ガイドレールの先端縁際に設置されたパチンコ機であって、前記返し部材が、表面から裏面へ貫通した係止孔を設けた固定部から板状の衝撃吸収部を突出させたものであり、前記固定部の係止孔に、前記遊技盤に対して直交するように設けられた柱状ボスを挿通させた状態で設置されていることを特徴とするものである。
【０００８】
請求項２に記載された発明は、請求項１に記載された発明において、前記返し部材が、弾性部材によって一体的に形成されていることを特徴とするものである。
【０００９】
請求項３に記載された発明は、請求項１、または請求項２に記載された発明において、前記柱状ボスが断面十字状に形成されているとともに、前記返し部材の前記係止孔が大径部と小径部とを有していることを特徴とするものである。
【発明の効果】
【００１０】
請求項１に記載のパチンコ機は、返し部材が板状の衝撃吸収部を有しているので、遊技球の返し部材への衝突時の衝撃を衝撃吸収部が効果的に低減する。したがって、長期間に亘って使用される場合でも、返し部材と対向した障害釘の損傷を効果的に防止することができる。
【００１１】
請求項２に記載のパチンコ機は、返し部材が弾性部材によって一体的に形成されているので、打ち込まれた遊技球が衝突した際に、返し部材の衝撃吸収部が弾性変形することによって衝撃をきわめて効果的に低減することができる。また、返し部材を非常に容易に成形することができるため、製造コストを低く抑えることが可能となる。
【００１２】
請求項３に記載のパチンコ機は、遊技盤に突設される柱状ボスが断面十字状のものであるとともに、返し部材の係止孔が大径部と小径部とを有しているため、係止孔と柱状ボスとの接触面積が小さいので、遊技盤への返し部材の取り付け、取り外しが非常に容易である。
【発明を実施するための最良の形態】
【００１３】
以下、本発明のパチンコ機について、図面にしたがって詳細に説明する。図１は、本発明に係るパチンコ機を示したものであり、パチンコ機１は、機枠２の片側縁に、前面枠３が開閉自在に蝶着されており、前面枠３の中央よりやや上側の後方には、遊技盤４が設置されている。図２は、遊技盤４を示したものであり、遊技盤４の表面には、発射装置によって発射された遊技球を遊技盤４の上方まで導くための金属製で帯状のガイドレール８が円弧状に立設されており、当該ガイドレール８によって、略円形の遊技領域１０が区画された状態になっている。そして、ガイドレール８の先端（右側上方の部分）と隣接した位置には、ガイドレール８に沿って右サイドへ跳躍した遊技球をはね返すための返し部材１１が設置されている。
【００１４】
また、図１に示すように、遊技領域１０には、図柄表示装置１９、大入賞口２０、入賞装置２１，２１・・、電飾ランプ、風車等が設置されているとともに、多数の障害釘９，９・・等が植設されている（なお、図２においては、図柄表示装置１９、大入賞口２０、入賞装置２１，２１・・、電飾ランプ、風車、障害釘９，９・・等の記載が省略されている）。一方、前面枠３の下側には、遊技球を発射装置（図示せず）へ供給するための供給皿５が設置されており、その供給皿５の右下方には、発射装置を操作するための発射ハンドル７が突設されている。
【００１５】
図３は、返し部材１１の設置部位を示したものであり、図４は、返し部材１１の設置部分の鉛直断面（図３におけるＡ−Ａ線断面）を示したもの（返し部材１１と遊技盤４とを別々に示したもの）である。また、図５は、返し部材１１の斜視説明図である。返し部材１１は、シリコーンゴムによって一体的に成形されている。そして、略半円柱状の固定部１５から板状の衝撃吸収部１６を上方に突出させた形状になっており、約１４ｍｍの厚さ（＝衝撃吸収部１６の幅）を有している。
【００１６】
固定部１５の略中央には、係止孔１２が穿設されている。係止孔１２は、略円柱状であり、固定部１５の表面から裏面へと貫通した状態になっている。そして、図４（ａ）の如く、係止孔１２の内壁には、複数本の溝が刻設されており、大径部１３および小径部１４が形成された状態になっている。なお、小径部１４、大径部１３の直径は、それぞれ、約６．０ｍｍ、約６．５ｍｍになっている。
【００１７】
また、衝撃吸収部１６は、厚さ約２．５ｍｍで高さが１５ｍｍの扁平な直方体状に形成されている（なお、衝撃吸収部１６の幅は、上記の如く約１４ｍｍである）。当該衝撃吸収部１６の内面は、固定部１５の上端面（上側のフラットな面）と約５５°の角度を成した状態になっている。加えて、衝撃吸収部１６の板面は、係止孔１２の中心とずれた状態になっている。
【００１８】
一方、返し部材１１の設置部分においては、遊技盤４の表面に、柱状ボス２２が立設されている（遊技盤４の盤面に一体的に設けられている）。図６は、図４（ｂ）におけるＢ−Ｂ線断面を示したものであり、上側の柱状ボス２２は、十字状の断面を有している。そして、幅（図６におけるａ）、高さ（図６におけるｂ）がいずれも約６．１ｍｍになっている。そして、返し部材１１は、係止孔１２内に、柱状ボス２２を差し込んだ状態で、ガイドレール８の端縁際に設置されている。
【００１９】
上記の如く構成されたパチンコ機１においては、発射ハンドル７の回動操作によって発射装置（図示せず）から遊技球が発射され、発射された遊技球が所定の入賞装置２１に入賞した場合に、内部に設置された制御装置において抽選が実行され、抽選の結果、「大当たり」になった場合には、図柄表示装置１９に所定の「大当たり図柄」が表示された後に、右サイドに設置された入賞装置２１に入賞することを条件として、大入賞口２０が所定回数だけ断続的に開成する。したがって、遊技者は、「大当たり」が発生した場合には、発射ハンドル７を大きく回動させて遊技球を強く発射して右サイドの入賞装置２１に入賞させることによって、多くの賞品球を獲得することができる。
【００２０】
そして、そのように遊技者が所謂“右打ち”を実施した場合には、打ち込まれた遊技球が返し部材１１に衝突するが、その際に、返し部材１１は、衝撃吸収部１６が大きく弾性変形する（先端側が右方向に折れ曲がる）ことによって遊技球による衝撃を効果的に低減する。そのため、対向する（隣接する）障害釘９が損傷する、という事態が起こらない。
【００２１】
パチンコ機１は、上記の如く、返し部材１１が、表面から裏面へ貫通した係止孔１２を設けた固定部１５から板状の衝撃吸収部１６を突出させたものであり、固定部１５の係止孔１２に、遊技盤４に突設された柱状ボス２２を挿通させた状態で設置されているので、遊技球の返し部材１１への衝突時の衝撃を、衝撃吸収部１６が効果的に低減する。したがって、長期間に亘って使用される場合でも、返し部材１１と対向した障害釘９の損傷を効果的に防止することができる。
【００２２】
また、パチンコ機１は、返し部材１１が弾性部材（シリコーンゴム）によって一体的に形成されているので、打ち込まれた遊技球が衝突した際に、返し部材１１の衝撃吸収部１６が弾性変形することによって衝撃をきわめて効果的に低減することができる。加えて、返し部材１１を非常に容易に成形することができるため、製造コストが安価である。
【００２３】
さらに、パチンコ機１は、柱状ボス２２が断面十字状に形成されており、返し部材１１の係止孔１２が大径部１３と小径部１４とを有している。したがって、係止孔１２と柱状ボス２２との接触面積が小さいので、遊技盤４への返し部材１１の取り付け、取り外しが非常に容易である。
【００２４】
なお、本発明のパチンコ機の構成は、上記実施形態の態様に何ら限定されるものではなく、機枠、前面枠、遊技盤、供給皿、発射ハンドル、ガイドレール、返し部材等の形状、構造、材質等の構成を、本発明の趣旨を逸脱しない範囲で適宜変更できる。
【００２５】
たとえば、返し部材は、上記実施形態の如く、一体的に成形されたものに限定されず、固定部と衝撃吸収部とを別々に形成した後に組み付けたもの等でも良い。また、返し部材は、上記実施形態の如く、シリコーンゴムによって形成されたものに限定されず、合成ゴム、天然ゴム等の他の弾性素材によって形成されたもの等に変更することも可能である。加えて、返し部材を合成ゴムによって形成する場合には、合成ゴムとして、アクリルゴム（ＡＣＭ）、アクリロニトリルブタジエンゴム（ニトリルゴム  ＮＢＲ）、イソプレンゴム（ＩＲ）、ウレタンゴム（Ｕ）、エチレンプロピレンゴム（ＥＰＭ，ＥＰＤＭ）、エピクリルヒドリンゴム（ＣＯ，ＥＣＯ）、クロロプレンゴム（ＣＲ）、シリコーンゴム（Ｑ）、スチレンブタジエンゴム（ＳＢＲ）、ブタジエンゴム（ＢＲ）、ブチルゴム（ＩＩＲ）、フッ素ゴム（ＦＫＭ）等を好適に用いることができる。加えて、合成ゴムや天然ゴム等と他の弾性素材とを組み合わせた複合素材によって、返し部材を形成することも可能である。
【００２６】
加えて、返し部材は、金属製の固定部に、合成樹脂製の衝撃吸収部を組み付けたもの等に変更することも可能である。さらに、１つの係止孔を利用して遊技盤に設置するものに限定されず、複数の係止孔を利用して遊技盤に設置するものでも良い。加えて、上記実施形態の如く、略半円柱状の固定部を有するものに限定されず、円柱状等の固定部を有するもの等に変更することも可能である。
【００２７】
また、返し部材は、上記実施形態の如く、衝撃吸収部の内面と固定部の上面とのなす角が５５°に調整されているものに限定されず、衝撃吸収部の内面と固定部の上面とのなす角を必要に応じて適宜変更することができる。なお、衝撃吸収部の内面と固定部の上面とのなす角を４０°以上７０°未満に調整した場合には、良好な緩衝効果が得られるとともに、遊技球の衝突時に衝撃吸収部が大きく曲がりすぎないため、返し部材の耐久性が良好なものとなる、というメリットがある。
【００２８】
さらに、返し部材は、上記実施形態の如く、衝撃吸収部の厚みが２．５ｍｍに調整されているものに限定されず、衝撃吸収部の厚みを必要に応じて適宜変更することができる。なお、衝撃吸収部の厚みを薄くすることによって、返し部材は、遊技球による衝撃をより吸収し易いものとなる。また、衝撃吸収部の厚さを１．５ｍｍ以上３．５ｍｍ未満に調整した場合には、返し部材は、良好な緩衝効果と良好な耐久性とを兼備したものとなる。
【００２９】
また、遊技盤は、上記実施形態の如く、返し部材によって跳ね返された遊技球が種々の方向へ流下するように構成されたものに限定されず、図７の如く、返し部材１１の近傍に遊技部材（遊技盤面と直交する外周面を有するもの）が設けられており、跳ね返された遊技球の流下方向が一定となるように構成されたものに変更することも可能である。かかる構成を採用した場合には、右打ちタイプのパチンコ機を設計し易くなる、というメリットがある。
【００３０】
一方、返し部材を係着する柱状ボスは、上記実施形態の如く、直接的に遊技盤に立設したものに限定されず、図８の如く、返し部材１１の外面（遊技盤４側と反対の面）を覆うコーナー飾り等の遊技部材２４を遊技盤４に設けるとともに、その遊技部材２４の遊技盤４と対向した内面に、遊技盤４面に対して直交するように柱状ボス２５を突設することも可能である。
【図面の簡単な説明】
【００３１】
【図１】パチンコ機の正面図である。
【図２】遊技盤を簡略化して示す説明図である。
【図３】返し部材の設置部分を示す説明図である。
【図４】返し部材および遊技盤の鉛直断面（図３におけるＡ−Ａ線断面）を示す説明図である（ａは返し部材の鉛直断面であり、ｂは遊技盤の鉛直断面である）。
【図５】返し部材の斜視説明図である。
【図６】柱状ボスの鉛直断面（図４におけるＢ−Ｂ線断面）を示す説明図である。
【図７】遊技盤の変更例を簡略化して示す説明図である。
【図８】遊技盤の変更例を簡略化して示す説明図である（ａは正面図であり、ｂはａにおけるＣ−Ｃ線断面図である）。
【符号の説明】
【００３２】
１・・パチンコ機
４・・遊技盤
７・・発射ハンドル
８・・ガイドレール
９・・障害釘
１０・・遊技領域
１１・・返し部材
１２・・係止孔
１３・・大径部
１４・・小径部
１５・・固定部
１６・・衝撃吸収部
２２・・柱状ボス
【図１】
2009131500.tif 000003
【図２】
2009131500.tif 000004
【図３】
2009131500.tif 000005
【図４】
2009131500.tif 000006
【図５】
2009131500.tif 000007
【図６】
2009131500.tif 000008
【図７】
2009131500.tif 000009
【図８】
2009131500.tif 000010